(57)【要約】  【課題】  背負いベルトを背負う場合に、該ベルトの角部である側面部に取付けた筒状クッション部で緩和され、学童にとってやさしいランドセルを提供できる。  【解決手段】  弾性部材からなるベルト芯材１７の略上半分に設けた幅広の肩当部の下面に、クッション機能を有したパッド部１８を取付けると共に、該ベルト芯材の側面部にクッション機能を有した弾性部材１９をそれぞれ取付け、該パッド部１８及びベルト芯材の両側端に取付けた弾性部材１９を、柔軟なカバー部材２０で下方から被覆してその先端部２１，２１を前記ベルト芯材の上面両端に接着し、該ベルト芯材の上面全体に表面板材２２を取付けると共に、該ベルト芯材の前記肩当部の下方に位置する長さ調整部の裏面に裏面板材２５を取付けて重合して縫糸２３で周縁部分を縫着して一体に固着してなるものである。  【選択図】  図２
0003133299.tif 000002
【実用新案登録請求の範囲】
【請求項１】
柔軟部材からなる長尺なベルト芯材（１７）の上半分に設けた幅広の肩当部（１２ａ）の下面に、クッション機能を有したパッド部（１８）を取付けると共に、該ベルト芯材の両側端部にクッション機能を有した柔軟部材（１９、１９）をそれぞれ取付け、該パッド部（１８）及びベルト芯材の両側端部に取付けた該柔軟部材を柔軟なカバー部材（２０）で被覆してその先端部（２１，２１）を前記ベルト芯材の上面両端に取付け、該ベルト芯材の上面全体に可撓性を有する硬質生地からなる表面板材（２２）を取付けると共に、該ベルト芯材の前記肩当部の下半分に位置する長さ調整部（１２ｂ）の裏面に可撓性を有する硬質生地からなる裏面板材（２５）を取付け重合して縫糸（２３）で周縁部分を縫着して一体に固着してなるランドセル用背負いベルト。
【請求項２】
前記ベルト芯材（１７）の両側端部（1７ｃ、１７ｃ）にそれぞれ接着した円柱状の柔軟部材(１９)の外側を柔軟なカバー部材(２０)で被覆して形成した筒状クッション部(２０ｃ、２０ｃ)と、前記ベルト芯材の下面に取付けた円弧状をしたスポンジからなるパッド部(１８)の下面とを同一面に形成してなることを特徴とする請求項１記載のランドセル用背負いベルト.
【請求項３】
前記筒状クッション部(２０ｃ)は、柔軟なカバー部材(２０)の内部にスポンジを接着固定してなることを特徴とする請求項２記載のランドセル用背負いベルト。
【請求項４】
前記ベルト芯材(１７)の下面中央に接着させた前記パッド部(１８)の両側部と該ベルト芯材の両側端部との間のベルト芯材の下面に、前記カバー部材(２０)の中間部を接着固定した接着固定部(２０ａ，２０ａ)を夫々設けてなることを特徴とする請求項1記載のランドセル用背負いベルト。
【請求項５】
前記ベルト芯材(１７)の上面に接着させた表面板材(２２)の両側部は、前記ベルト芯材の上面であって、前記筒状クッション部(２０ｃ、２０ｃ)の内側に位置させてなることを特徴とする請求項1記載のランドセル用背負いベルト。
【考案の詳細な説明】
【技術分野】
【０００１】
本考案は、学童が使用するランドセル用背負いベルトの改良に関する。
【背景技術】
【０００２】
従来、小学生が使用するランドセルは大型で、その重量は低学年の学童にとってかなり負担となっている。そして、教科書などを収容したランドセルを背負った場合、学童の肩の部分に当接する背負いベルトは巾が狭いため、ランドセルの重量が、細巾の背負いベルトの下面に集中し、やや硬質な芯材の両側角部が学童の肩部に食い込むことになる。特に、ランドセルを背負って登下校の際に友達同士で走ったりすると、重量のあるランドセルが左右に揺れて、該背負いベルトの両側下面の角部が学童の肩部と擦れて皮膚が剥けて傷を負うことがある。
【０００３】
図６に示すように、従来の背負いベルト１は、皮革又は合成皮革などよりなる芯材２の外側を軟質生地からなる表面部材３で被覆し、該芯材２の両側部を上部まで包み込んで表面部材の両端に設けた折返片４、４を前記芯材2の両側上面に夫々折り返す。そして、この背負いベルト１の折返片４、４および芯材２の上部表面に硬質生地よりなる表面板５を取付け、さらに、長尺な背負いベルトの下半分の裏面に位置し、且つ、表面部材３の裏面に、皮革又は合成皮革などの硬質生地からなる裏面板6を取り付け、夫々接着して重合させた表面板５、芯材２および折返片４、表面部材３、裏面板６の両側部分を重合してそれぞれ糸7を用いてベルトの周縁部分に沿って縫着して背負いベルト１を形成してある（特許文献１、参照）。
【０００４】
図7に示した他の従来例は、内部にクッション材よりなる芯材２ａを裏面板６ａで被覆し、この裏面板６ａの両端部分の端部片６ｂ，６ｂで該芯材２ａの両側部を包み込んで上面両側に折り曲げる。次いで、二つ折りに形成した反射帯８，８の基部８ａ，８ａを前記端部片６ｂ，６ｂと、該端部片上に位置させる表面板５ａとの間に介在させ、該反射帯８，８の先端部分を前記裏面板６ａの両側部から外方に突出してベルトの略全長にわたって前方及び側面方向に対して目立つように設けてある。さらに、該反射帯の基部８ａ，８ａの上面に表面板５ａを接着して表面板５ａ及び裏面板６ａを重合させその両側部分を糸７ａを用いて該ベルトの周縁部に沿って一体に縫着して背負いベルト１ａを形成してある（特許文献２、参照）。
【０００５】
上記のように、細巾のランドセル用背負いベルトを構成するベルト用の芯材２，２ａは、表面板５，５ａと裏面板６，６ａとの間に介在させてクッション機能を有しているが、ランドセルを背負った場合に重量が加わる芯材の両側下面の角部は、学童の肩部に食い込むのを防ぐ機能はほとんど有していない。また、図７に示したベルトは両側外方に反射帯を突出して設けてあるが、該ベルトの両側下面の角部をカバーする機能を有しておらず、ベルトの両側部分に色彩的に目立つ反射帯を設けたことによって交通事故防止の機能を有している。さらに、反射帯はベルトの側面の上方部分に設けてあって、学童の肩にやさしい背負いベルトを提供する機能は有していない。
【特許文献１】実開昭５５−１２５１１７号公報
【特許文献２】特開平８−２２０９９５号公報
【考案の開示】
【考案が解決しようとする課題】
【０００６】
本考案が解決しようとする課題は、背負いベルトのベルト芯材の下面に柔軟部材からなるパッド部を設け、さらに、該バンド本体の両側端には長尺な柔軟部材を位置し柔軟なカバー部材で芯材と一体に被覆し、該バンド本体の表面に表面板材を位置させ、該ベルト芯材とパッド部と両側端に設けた柔軟部材とを柔軟なカバー部材で被覆し、さらに、ベルト芯材の両側端部には、内部に柔軟部材を収容する筒状クッション部を形成し、縫糸で一体に縫着してベルト芯材の両側に柔軟部材を外方に突出して設けたため、背負いベルトの巾を広げて学童の体との接着面を拡大し、背負いベルトの両側端に柔軟部材を設けたことによりベルト芯材の両側下面の角部が直接肩部に食い込むことを防止し、ランドセルを軽やかに背負うこと目的とする。
【課題を解決するための手段】
【０００７】
上記課題を解決するために、本考案は、柔軟部材からなる長尺なベルト芯材１７の上半分に設けた幅広の肩当部１２ａ下面に、クッション機能を有したパッド部１８を取付けると共に、該ベルト芯材の両側端部にクッション機能を有した柔軟部材１９をそれぞれ取付け、該パッド部１８及びベルト芯材の両側端部に取付けた柔軟部材１９を、柔軟なカバー部材２０で被覆してその先端部２１，２１を前記ベルト芯材の上面両端に取付け、該ベルト芯材の上面全体に可撓性を有する硬質生地からなる柔軟部材からなる表面板材２２を取付けると共に、該ベルト芯材の前記肩当部の下半分に位置する長さ調整部１２ｂの裏面に可撓性を有する硬質生地からなる裏面板材２５を取付けて重合して縫糸２３で周縁部分を縫着して一体に固着してなることを特徴とする。
【０００８】
また前記ベルト芯材１７の両側端部１７ｃ、１７ｃに接着した円柱状の柔軟部材１９の外側を柔軟なカバー部材２０で被覆して形成した筒状クッション部２０ｃ、２０ｃと、前記ベルト芯材の下面に取付けた円弧状をしたスポンジからなるパッド部１８の下面を同一面に形成してある。さらに前記筒状クッション部２０ｃは、柔軟なカバー部材２０の内部にスポンジを接着固定してある。また前記ベルト芯材１７の下面中央に接着させた前記パッド部１８の両側部と該ベルト芯材の両側端部との間のベルト芯材の下面に、前記カバー部材２０の中間部を接着固定した接着固定部２０ａ，２０ａを夫々設けてある。さらに、前記ベルト芯材の上面に接着させた表面板材２２の両側部は、前記筒状クッション部２０ｃ，２０Ｃの内側に位置させたことを特徴とする。
【０００９】
本考案は上記構成であって、ベルト芯材の側端部１７ｃ、１７ｃにはベルトの長手方向に円柱状をした柔軟部材１９、１９を内蔵した筒状クッション部２０ｃ、２０ｃを設けてあるため、該ベルトの角部は筒状クッション部で緩和されて学童にとってやさしいランドセルを提供することができる。
【００１０】
ベルト芯材の下面中央には下方に膨出したクッション機能を有するパッド部１８を設け、このパッド部の両側に、内部にクッション機能を有した柔軟部材を内臓して設けた筒状クッション部２０ｃ，２０Ｃを設けて下面を同一面に形成したため、学童の肩部にベルト芯材からの荷重が加わる前にこの３点が当接してクッション作用を呈し、ベルト芯材の角部が当接することが無く、痛みが生じたり皮膚が擦れて傷を負うことはない。
【００１１】
さらに、ベルト芯材と外側から被覆するカバー部材とが、該パッド部の両側部の下面に接着して固定してあるので、パッド部１８を介在して設けてあってもこのベルト芯材とカバー部材とがずれることがなく、パッド部や筒状クッション部の破損を防止し、耐久性を高めることができる作用を呈するものである。
【考案を実施するための最良の形態】
【００１２】
本考案の実施の形態を図面に基づいて説明すると、図１は本考案に係る背負いベルトの平面図、図２は図１のＡ−Ａ線拡大端面図、図３は背負いベルトの底面図、図４はベルト芯材の側端部に取付ける柔軟部材の斜視図、図５は背負いベルトをランドセルに取付けた使用状態を示す正面図である。
【００１３】
ランドセル１０の背板部の上部中央に固定した背環１１に、２本の背負いベルト１２、１２の間の間隔を調整できるように連結してある。また。背負いベルトの上半分の幅を広げて設けた肩当部１２ａの下方に細巾に設けた長さ調整部１２ｂには適宜間隔に複数の穴１３を設けてある。さらに、ランドセル１０の底部両側に取付けた下部ベルト１４の端部に設けた係止金具１５の爪片１６が、前記背負いベルトの長さ調整部１２ｂに設けたいずれかの穴１３と係止してベルトの長さを調整できるようにしてある。
【００１４】
背負いベルト１２は、皮革又は合成皮革などの可撓性を有した硬質生地からなるベルト芯材１７の下面にスポンジなどのクッション機能を有し且つ下面をなだらかな円弧状に形成した柔軟部材からなるパッド部１８を接着して取付けてある。さらに、前記背負いベルトの上方の幅広の肩当部１２ａに位置するベルト芯材１７の両側部には、図４に示すように、スポンジなどのクッション機能を有して長尺な円柱状をした柔軟部材１９が、前記ベルト芯材の厚みより直径を長くして太く形成し、該ベルト芯材１７の両側端部１７ｃ、１７ｃにそれぞれ接着して外方に突出させて設けてある。
【００１５】
下面にパッド部１８を接着し且つ両側端部１７ｃ、１７ｃに柔軟部材１９、１９をそれぞれ接着させたベルト芯材１７を、外側から皮革又は合成皮革などの柔軟なカバー部材２０で被覆し、このカバー部材２０の両先端部２１，２１を夫々前記ベルト芯材の両側上面に接着してある。さらに、皮革又は合成皮革などの可撓性を有する硬質生地からなる表面板材２２を該ベルト芯材１７の上面に接着し、この表面板材２２の両側部分と前記カバー部片２０の両側部分に設けたベルト芯材との接着部２０ａとを縫糸２３を用いてこの背負いベルト１２の周縁部分に沿って縫着して形成してある。この場合、表面板材２２とベルト芯材１７との間には、前記先端部２１の厚さ分の空間部２１ａが生じ、この空間部２１ａはクッション機能を呈し、該表面板材２２を表面から押した場合、該表面板材が下方に凹んで柔軟な感じが得られる効果を有している。
【００１６】
この背負いベルト１２は２本で一組をなし、上端には背環１１に連結する連結金具２４を有し、さらに、右側に位置するベルトの上部は左側にカーブし、また、左側に位置するベルトの上部は右側にカーブして、学童の首部分を避けるように形成してある。
【００１７】
前記肩当部１２ａの下面中央部には、下面をなだらかな円弧状に形成してクッション機能を有したパッド部１８を接着し、さらに、該ベルト芯材１７の両側端部１７ｃ，１７ｃには、スポンジなどの柔軟部材１９、１９を内臓した筒状クッション部２１ｃ，２１ｃをカバー部材２０で包み込んで形成してある。この筒状クッション部２０ｃ，２１ｃは、略ベルトの上半分の長さと略同じに形成してある。
【００１８】
さらに、パッド部１８とベルト芯材１７の両側端部１７ｃ，１７ｃに接着させた柔軟部材１９、１９とを、柔軟なカバー部材２０で包み込んで筒状クッション部２０ｃ、２０ｃを設け、また、カバー部材の両端に設けた先端部２１、２１を該ベルト芯材１７の上面両側に接着し、さらに、該ベルト芯材１７の上面に可撓性を有し硬質生地からなる表面板材２２を接着して取付けてある。
【００１９】
次いで、このベルト芯材１７の上面には、該ベルト芯材１７と略横巾を同じに形成してやや硬質な皮革または合成皮革からなる表面板材２２を前記先端部２１、２１の上面に接着し、該表面板材の両端と前記パッド部１８の両側に位置してベルト芯材１７と表面板材２２との接着部２２ａ，２２ａ、また該表面板材２２と、下面側の該カバー部材２０の周縁部分に沿って縫糸で縫着して一体に形成してある。
【００２０】
この背負いベルト１２は、ベルトの下面のカバー部材２０の内部に下面を円弧状にしたパッド部１８を接着し、さらに、ベルト芯材１７の両側端にはクッション機能を有した柔軟部材１９を内蔵して前記カバー部材を折り返して形成した筒状クッション部２０ｃを有しているため、該ベルト芯材１７の端部が学童の体に当接することはない。即ち、ベルト芯材１７の側端部１７ｃに設けた筒状クッション部２０ｃ，２０ｃを介して学童の体に接触するため、ベルト芯材１７の角部が体に当って痛みを発生させたり、傷をつけたりすることはない利点を有する。
【００２１】
さらに、前記表面板材２２を該ベルト芯材１７の上面に取付けてあるが、この表面板材２２の両側部には、前記筒状クッション部２０ｃが位置しているので、該表面板材の角部が学童の体に接触することはなく、学童の体に傷を付けることがない。
【図面の簡単な説明】
【００２２】
【図１】本考案にかかる背負いベルトの平面図である。
【図２】図１のＡ−Ａ線拡大端面図である。
【図３】図１に示した背負いベルトの背面図である。
【図４】ベルト芯材の側端部に取付ける柔軟部材の斜視図である。
【図５】背負いベルトをランドセルに取付けた使用状態を示す正面図である。
【図６】従来の背負いベルトの中央横断面図である。
【図７】他の従来の背負いベルトの中央横断面図である。
【符号の説明】
【００２３】
１２      背負いベルト
１２ａ    肩当部
１２ｂ    長さ調整部
１７      ベルト芯材
１７ｃ    側端部
１８      パッド部
１９      柔軟部材
２０      カバー部材
２０ａ    接着固定部
２０ｃ    筒状クッション部
２１      先端部
２２      表面板材
２３      縫糸
２５      裏面板材
【図１】
0003133299.tif 000003
【図２】
0003133299.tif 000004
【図３】
0003133299.tif 000005
【図４】
0003133299.tif 000006
【図５】
0003133299.tif 000007
【図６】
0003133299.tif 000008
【図７】
0003133299.tif 000009